(57)【要約】【課題】送信先の装置においてサーチ用データを生成する手間をなくす。【解決手段】ＭＰＥＧ２のパケッタイズドエレメンタリストリーム（ＰＥＳ）形式に従い符号化された通常再生用の動画像データと高速再生用の画像データとからなる動画像データ列が記録されている多数のトラックが形成されたテープ状記録媒体から、前記通常再生用画像データと高速再生用画像データとを再生し、再生されたＰＥＳ形式の通常再生用動画像データと高速再生用画像データとを、ＭＰＥＧ２のトランスポートストリーム（ＴＳ）形式にて多重して出力する。【選択図】      図１
2004242172.tif 000002
【特許請求の範囲】
【請求項１】
フレーム内符号化とフレーム間符号化とを用いて符号化された通常再生用の動画像データと符号化された高速再生用の画像データとからなる動画像データ列が記録されている多数のトラックが形成されたテープ状記録媒体から、前記通常再生用画像データと高速再生用画像データとを再生する再生手段と、
前記再生手段により再生された通常再生用動画像データと高速再生用画像データとを符号化された状態で多重して出力するインターフェイスとを備える再生装置。
【請求項２】
前記インターフェイスは前記通常再生用動画像データと前記高速再生用画像データをそれぞれ所定量のデータサイズを有する複数のパケットに変換し、前記複数のパケットを多重して出力することを特徴とする請求項１記載の再生装置。
【請求項３】
前記複数のパケットはそれぞれＩＤデータを有し、前記インターフェイスは前記通常再生用動画像データのパケットのＩＤデータと前記高速再生用画像データのパケットのＩＤデータに対し、互いに異なる所定の値を割り当てることを特徴とする請求項２記載の再生装置。
【請求項４】
前記インターフェイスが前記通常再生用動画像データと高速再生用画像データとを出力する外部装置の状態に応じて、前記高速再生用画像データを多重して出力するか否かを制御する制御手段を備えたことを特徴とする請求項１記載の再生装置。
【請求項５】
前記インターフェイスはＩＥＥＥ１３９４規格に従って通常再生用動画像データと高速再生用画像データとを出力し、前記制御手段は前記インターフェイスにより前記外部装置の所定のレジスタに格納されている情報を検出し、前記検出した情報に従い前記高速再生用画像データを多重して出力するか否かを制御することを特徴とする請求項４記載の再生装置。
【請求項６】
前記再生手段により再生された通常再生用動画像データと高速再生用画像データを復号し、前記復号した通常再生用動画像データと高速再生用画像データのうちの一方を選択して出力する復号手段を備えたことを特徴とする請求項１記載の再生装置。
【請求項７】
前記インターフェイスは更に、通常再生用動画像データと高速再生用画像データとが符号化された状態で多重された送信用データ列を外部装置より受信し、前記受信した送信用データ列より前記通常再生用動画像データと高速再生用画像データを検出して前記復号手段に出力することを特徴とする請求項６記載の再生装置。
【請求項８】
前記高速再生用画像データは前記通常再生用動画像データのうち、前記フレーム内符号化により符号化されたフレームの画像データのみにより構成されることを特徴とする請求項１記載の再生装置。
【請求項９】
フレーム内符号化とフレーム間符号化とを用いて動画像データを符号化して通常再生用の動画像データを生成すると共に前記通常再生用の動画像データの一部を用いて高速再生用の画像データを生成する符号化手段と、
テープ状記録媒体上に多数のトラックを形成し、前記符号化手段により生成された通常再生用画像データと高速再生用画像データとを前記多数のトラックに記録する記録手段と、
前記符号化手段により生成された通常再生用動画像データと高速再生用画像データとを符号化された状態で多重して出力するインターフェイスとを備える記録装置。
【請求項１０】
前記記録手段は前記トラック毎に決められた所定の位置に前記特殊再生用画像データを記録することを特徴とする請求項９記載の記録装置。
【請求項１１】
前記記録手段は前記多数のトラック内で高速再生時においてヘッドの走査軌跡に対応した位置に前記高速再生用画像データを記録することを特徴とする請求項１０記載の記録装置。
【請求項１２】
前記インターフェイスは前記通常再生用動画像データと前記高速再生用画像データをそれぞれ所定量のデータサイズを有する複数のパケットに変換し、前記複数のパケットを多重して出力することを特徴とする請求項８記載の記録装置。
【請求項１３】
前記複数のパケットはそれぞれＩＤデータを有し、前記インターフェイスは前記通常再生用動画像データのパケットのＩＤデータと前記高速再生用画像データのパケットのＩＤデータに対し、互いに異なる所定の値を割り当てることを特徴とする請求項１２記載の記録装置。
【請求項１４】
前記インターフェイスは更に、通常再生用動画像データと高速再生用画像データとが符号化された状態で多重された送信用データ列を外部装置より受信し、前記記録手段は更に前記インターフェイスにより受信された通常再生用動画像データと高速再生用画像データを記録することを特徴とする請求項８記載の記録装置。
【請求項１５】
前記符号化手段は、前記通常再生用動画像データのうち前記フレーム内符号化により符号化されたフレームの画像データのみにより前記高速再生用画像データを生成することを特徴とする請求項８記載の記録装置。
【請求項１６】
ＭＰＥＧ２のパケッタイズドエレメンタリストリーム形式に従い符号化された通常再生用の動画像データと前記通常再生用の動画像データに対応した高速再生用の画像データとからなる動画像データ列が記録されている多数のトラックが形成されたテープ状記録媒体から、前記通常再生用画像データと高速再生用画像データとを再生する再生手段と、
前記再生手段により再生されたパケッタイズドエレメンタリストリーム形式の通常再生用動画像データと高速再生用画像データとを、ＭＰＥＧ２のトランスポートストリーム形式にて多重して出力するインターフェイスとを備える再生装置。
【請求項１７】
前記インターフェイスは、前記通常再生用動画像データのトランスポートストリームパケットのパケットＩＤと、前記高速再生用画像データのトランスポートストリームパケットのパケットＩＤとに対し、互いに異なる値を割り当てることを特徴とする請求項１６記載の再生装置。
【発明の詳細な説明】
【０００１】
【発明の属する技術分野】
本発明は再生装置に関し、特に符号化されたデジタル画像データをテープ状記録媒体から再生する装置に関する。
【０００２】
【従来の技術】
従来、画像データを符号化して磁気テープに記録再生するデジタルＶＴＲが知られている。また、近年では、画像データをＭＰＥＧ方式などのフレーム間符号化方式を用いて符号化し、磁気テープに記録再生する装置も知られている。
【０００３】
この種の装置が特開平９−２１４８８９号公報に記載されている。
【０００４】
ＭＰＥＧ方式では、画像データのフレーム間の差分を符号化しているため、この差分データだけでは復号することができず、復号するために参照用のフレームの画像データが必要となる。
【０００５】
ＭＰＥＧ符号化された画像データでは各フレームのデータ量がまちまちであるため、磁気テープ上での各フレームのデータの記録位置も一定ではない。そのため、このようにＭＰＥＧ符号化されて記録された画像データを高速再生する場合、磁気ヘッドはテープ上のトラックを正確に走査することができないので、テープ上に記録されたデータを全て再生することができず、離散的に再生されることになる。
【０００６】
そのため、フレーム間符号化された差分データと参照用フレームのデータとが共に得られる可能性が非常に低くなり、高速再生時にはフレーム内符号化されたフレームの画像データのみが復号可能となり、良好な再生画像を得ることが困難になる。
【０００７】
そこで、前記の特許文献では、通常の符号化画像データとは別に、フレーム内符号化された画像データのみを用いて高速再生用の画像データを生成し、この高速再生用の画像データを、各トラック上で高速再生時にヘッドが走査する位置に記録することで、高速再生時においても良好な再生画像を得ることが考えられている。
【０００８】
また、特開２００１−３０９３０６号公報には、ＭＰＥＧ形式で記録された画像データを再生し、符号化された形態のまま出力する技術が記載されている。
【０００９】
【特許文献１】
特開平９−２１４８８９号公報
【特許文献２】
特開２００１−３０９３０６号公報
【００１０】
【発明が解決しようとする課題】
前記特許文献２では、テープから再生されたＭＰＥＧ２のＰＥＳ形式のデータをＴＳ形式に変換し、デジタルデータとして出力する構成が開示されているが、特許文献２の様に、高速再生用の画像データがテープに記録されていた場合の処理については全く考慮されていない。
【００１１】
そのため特許文献２の様に出力されたデータを受信してテープ上に記録する、所謂デジタルダビングを考えた場合、記録側の装置においては、入力したＴＳ形式のデータから改めて高速再生用のデータを生成して記録しなければならず、効率が悪いものであった。
【００１２】
本発明はこの様な問題を解決し、通常再生用の画像データと高速再生用の画像データを容易に送受信可能とすることを目的とする。
【００１３】
【課題を解決するための手段】
前記目的を達成するため、本発明によれば、フレーム内符号化とフレーム間符号化とを用いて符号化された通常再生用の動画像データと符号化された高速再生用の画像データとからなる動画像データ列が記録されている多数のトラックが形成されたテープ状記録媒体から、前記通常再生用画像データと高速再生用画像データとを再生する再生手段と、前記再生手段により再生された通常再生用動画像データと高速再生用画像データとを符号化された状態で多重して出力するインターフェイスとを備える再生装置が提示される。
【００１４】
【発明の実施の形態】
以下、本発明の実施の形態について説明する。
【００１５】
図１は本発明を適用した記録再生装置１００の構成を示す図である。図１の記録再生装置１００は、前述の様に画像データと音声データをＭＰＥＧ方式に従い符号化すると共に高速再生用の画像データを生成し、テープ状の多数のトラックに記録再生する。
【００１６】
まず、通常の記録処理について説明する。
【００１７】
入力部１０１から入力した動画像信号及び音声信号はそれぞれ、エンコーダ１０２、１０５２出力される。エンコーダ１０２は入力された動画像信号をＭＰＥＧ２方式に従って符号化し、サーチデータ生成部１０３及びパケット化部１０４に出力する。エンコーダ１０２から出力されるデータをビデオエレメンタリストリーム（ＥＳ）と呼ぶ。
【００１８】
パケット化部１０４はエンコーダ１０２から出力されたビデオＥＳデータを所定量のデータ毎に多数のブロックに分割し、各ブロックに対して所定のヘッダを付加することで多数のパケットを形成する。このこのパケットをＰＥＳ（Ｐａｃｋｅｔｉｚｅｄ  Ｅｌｅｍｅｎｔａｒｙ  Ｓｔｒｅａｍ）パケットと呼び、パケット化部１０４から出力されるデータをビデオＰＥＳという。ビデオＥＳとビデオＰＥＳパケットの様子を図２の上段に示す。パケット化部１０４はこの様にビデオＥＳからビデオＰＥＳを生成し、多重化部１０７に出力する。
【００１９】
また、ＭＰＥＧ２方式では、フレーム内符号化、前方予測符号化及び双方向予測符号化の処理をフレーム毎に切り替えて画像データを符号化する。サーチデータ生成部１０３はエンコーダ１０２から出力されたビデオＥＳのうち、フレーム内符号化されたフレーム（Ｉフレーム）の画像データのみを用いて高速再生用の画像データを生成し、多重化部１０７に出力する。
【００２０】
一方、エンコーダ１０５は入力された音声信号をＭＰＥＧオーディオ符号化方式に従い符号化し、パケット化部１０６に出力する。エンコーダ１０５から出力されるデータをオーディオエレメンタリストリーム（ＥＳ）という。
【００２１】
パケット化部１０６は、パケット化部１０４と同様にエンコーダ１０５から出力されたオーディオＥＳを所定量のデータ毎に多数のブロックに分割し、各ブロックに対して所定のヘッダを付加することで多数のパケットを形成する。パケット化部１０６から出力されるデータをオーディオＰＥＳという。オーディオＥＳとオーディオＰＥＳの様子を図２の下段に示す。パケット化部１０６はこの様にオーディオＥＳからオーディオＰＥＳを生成し、多重化部１０７に出力する。
【００２２】
多重化部１０７は制御部１１６からの指示に従い、高速再生用画像データを所定のデータ量毎にブロックに分割し、テープＴ上の各トラックにおいて高速再生時にヘッドが走査する位置にこの高速再生用画像データのブロックが記録されるよう、パケット化部１０４からのビデオＰＥＳ、パケット化部１０６からのオーディオＰＥＳ及びサーチデータ生成部１０３からの高速再生用データを多重し、記録再生部１０８に出力する。
【００２３】
多重化部１０７から出力されるデータの様子を図３に示す。
【００２４】
記録再生部１０８は、回転ヘッドによりテープＴ上に多数のトラックを形成し、多重化部１０７から出力されたデータを順次記録する。
【００２５】
次に、この様な通常の記録時におけるデジタルＩ／Ｆからのデータ出力動作について説明する。
【００２６】
エンコーダ１０２、１０５及びサーチデータ生成部１０３からのビデオＰＥＳデータ、オーディオＰＥＳデータ及び高速再生用画像データはまた、トランスポートストリーム（ＴＳ）処理部１１７に出力される。
【００２７】
ＴＳ処理部１１７は制御部１１６からの指示に従い、これらビデオＰＥＳデータ、オーディオＰＥＳデータ及び高速再生用画像データをＭＰＥＧ２のトランスポートストリームの形式に変換し、デジタルＩ／Ｆ（ＤＩＦ）１１８に出力する。
【００２８】
ここで、ＴＳ処理部１１７による変換処理について説明する。
【００２９】
ＴＳ処理部１１７は、ビデオＰＥＳ、オーディオＰＥＳ及び高速再生用データをそれぞれ所定量のデータ毎に多数のブロックに分割し、各ブロックに対して所定のヘッダ（ＴＳヘッダ）を付加して１８８バイトのトランスポートストリームパケット（ＴＳパケット）を生成する。そして、ビデオＰＥＳから生成したＴＳパケット、オーディオＰＥＳから生成したＴＳパケット及び高速再生用データから生成したＴＳパケットを所定のタイミングで多重し、ＴＳを生成する。
【００３０】
ＴＳ処理部１１７による多重化処理の様子を図４に示す。
【００３１】
図４において、ＴＳ４０３のうちＶがビデオＰＥＳ４０１から生成したＴＳパケット、ＡがオーディオＰＥＳ４０２から生成したＴＳパケット、Ｓが高速再生用データのＴＳパケットである。
【００３２】
また、ＴＳでは、ＴＳパケットヘッダに各パケットのデータを識別するためのパケットＩＤ（ＰＩＤ）を付加しており、ＴＳ処理部１１７はまた、各ＰＩＤのパケットに含まれるプログラム（データ）の内容を示すプログラムマップテーブル（ＰＭＴ）及びＰＭＴを検出するためのプログラムアソシエーションテーブル（ＰＡＴ）を多重して出力する。ＰＡＴ及びＰＭＴはプログラム仕様情報（ＰＳＩ）と呼ばれ、特にＰＡＴを有するＴＳパケットのＰＩＤは０番が割り当てられている。
【００３３】
本形態では、ビデオＴＳのＰＩＤ、オーディオＴＳのＰＩＤ及び、高速再生データのＴＳのＰＩＤにそれぞれ独立した所定の値を割り当て、各ＴＳパケットのＰＩＤをＰＭＴに記述している。これにより、各ＴＳパケットのＰＩＤを検出するだけでその内容を検出できるようにした。
【００３４】
図５に、ＴＳデータと各ＴＳパケット及びＴＳヘッダの様子を示す。
【００３５】
ＤＩＦ１１８はＴＳ処理部１１７から出力されたＴＳデータをＩＥＥＥ１３９４規格にて規定されたフォーマットに従い装置外部に出力する。
【００３６】
次に、通常の再生時の動作について説明する。
【００３７】
記録再生部１０８は、制御部１１６から通常再生の指示があると、テープＴから前述の様に記録された動画像データ列を再生し、分離部１０９に出力する。分離部１０９は再生された動画像データ列からビデオＰＥＳ、オーディオＰＥＳ及び高速再生用画像データを検出し、オーディオＰＥＳを変換部１１０に出力し、ビデオＰＥＳと高速再生用画像データをデコーダ１１３に出力する。
【００３８】
変換部１１０は出力されたオーディオＰＥＳから各ＰＥＳパケットヘッダを検出してオーディオＥＳを生成し、デコーダ１１１に出力する。デコーダ１１１は出力されたオーディオＥＳをデコードし、出力部１１４に出力する。
【００３９】
一方、変換部１１２は分離部１０９から出力されたビデオＰＥＳから各ＰＥＳパケットヘッダを検出してビデオＥＳを生成し、デコーダ１１３に出力する。デコーダ１１３は制御部１１６の指示に従い、通常再生時においては、変換部１１２からのビデオＥＳと分離部１０９からの高速再生用データのうち、ビデオＥＳをデコードして出力部１１４に出力する。
【００４０】
出力部１１４はデコーダ１１１からの音声データとデコーダ１１３からの音声データを外部機器に適した形式に変換して出力する。
【００４１】
次に、通常の再生時におけるＤＩＦ１１８からのデータ出力処理について説明する。
【００４２】
分離部１０９は、前述の様に再生された画像データ列から検出したビデオＰＥＳ、オーディオＰＥＳ及び高速再生用画像データをＴＳ処理部１１７にも出力する。
【００４３】
ＴＳ処理部１１７は、制御部１１６からの指示に従い、通常再生時においても、前述の記録時と同様にビデオＰＥＳ、オーディオＰＥＳ及び高速再生用画像データからＴＳパケットを生成し、これらＴＳパケットを多重してＴＳデータを生成する。そして、ＤＩＦ１１８はこのＴＳデータを装置外部に出力する。
【００４４】
次に、高速再生時の処理について説明する。
【００４５】
操作部１１５により高速再生の指示があると、制御部１１６は記録再生部１０８に対しテープＴを高速に搬送して画像データを再生するよう指示する。
【００４６】
記録再生部１０８はテープＴを高速に搬送して画像データを再生する。この際、主に高速再生用の画像データが再生される。
【００４７】
分離部１０９は記録再生部１０８からの出力データから高速再生用の画像データを検出し、デコーダ１１３に出力する。デコーダ１１３は制御部１１６からの指示に従い、分離部１０９からの高速再生用の画像データをデコードし、出力する１１４に出力する。また、制御部１１６は、高速再生時においては分離部１０９からのオーディオＰＥＳ及びビデオＰＥＳを出力しないよう、変換部１１０、１１２を制御する。
【００４８】
次に、外部装置により再生され、前述の様に出力されたＴＳデータをＤＩＦ１１８により入力して記録する、ダビング時の動作について説明する。
【００４９】
この場合、まず、図１の記録再生装置１００のＤＩＦ１１８と、この記録再生装置１００と同様の構成を持つ外部記録再生装置１００’におけるＤＩＦ１１８’をＩＥＥＥ１３９４ケーブルで接続する。そして、外部記録再生装置１００’にて前述の様に画像データを再生してＴＳデータを生成し、ＤＩＦ１１８’を介して記録再生装置１００のＤＩＦ１１８に出力する。
【００５０】
ＤＩＦ１１８は前述の様に出力されたＴＳデータを入力してＴＳ処理部１１７に出力する。
【００５１】
ＴＳ処理部１１７は制御部１１６の指示に従い、入力されたＴＳデータ中のＰＡＴ、ＰＭＴに基づいてビデオＰＥＳ、オーディオＰＥＳ及び高速再生用画像データの各ＴＳパケットのＰＩＤを検出し、このＰＩＤに基づいて各データのＴＳパケットを検出する。そして、各ＴＳパケットから元のビデオＰＥＳ、オーディオＰＥＳ及び高速再生用画像データを生成して多重化部１０７に出力する。
【００５２】
多重化部１０７は制御部１１６の指示に従い、前述の様にテープＴ上の各トラックにおいて高速再生時にヘッドが走査する位置に高速再生用画像データのブロックが記録されるよう、ＴＳ処理部１１７からのビデオＰＥＳ、オーディオＰＥＳ及び高速再生用データを多重し、記録再生部１０８に出力する。
【００５３】
制御部１１６は操作部１１５からの記録開始の指示に従って記録再生部１０８に対して記録開始の指示を出力する。記録再生部１０８は制御部１１６からの記録開始の指示に応じて多重化部１０７からの画像データ列をテープＴに記録する。
【００５４】
次に、ＤＩＦ１１８から前述の様に入力したＴＳデータをデコードして出力する場合の処理について説明する。
【００５５】
制御部１１６により外部入力再生の指示があると、ＴＳ処理部１１７はＤＩＦ１１８から出力されたＴＳデータから、ダビング時と同様にビデオＰＥＳ、オーディオＰＥＳ及び高速再生用データを検出し、オーディオＰＥＳを変換部１１０に出力し、ビデオＰＥＳと高速再生用画像データをデコーダ１１３に出力する。
【００５６】
変換部１１０は制御部１１６からの指示に従い、ＴＳ処理部１１７からのオーディオＰＥＳを選択してオーディオＥＳを生成し、デコーダ１１１に出力する。デコーダ１１１は変換部１１０からのオーディオＥＳをデコードし、出力部１１４に出力する。
【００５７】
一方、変換部１１２は制御部１１６からの指示に従い、ＴＳ処理部１１７からのビデオＰＥＳを選択してビデオＥＳを生成し、デコーダ１１３に出力する。デコーダ１１３は変換部１１２からのビデオＥＳとＴＳ処理部１１７からの高速再生用データのうち、ビデオＥＳを選択してデコードし、出力部１１４に出力する。
【００５８】
出力部１１４はデコーダ１１１からの音声データとデコーダ１１３からの画像データを外部に出力する。
【００５９】
この様に、本形態によれば、ＴＳ処理部１１７により、テープから再生したオーディオＰＥＳ、ビデオＰＥＳ及び高速再生用画像データをＴＳデータに変換してＤＩＦから出力するため、デジタルダビング時においても記録側の装置において新たに高速再生用の画像データを生成する必要がない。
【００６０】
なお、前述の実施形態では、ＤＩＦから画像データを送信する際、常に高速再生用のデータを多重して送信していたが、例えば、ＤＩＦ１１８により送信先の機器において高速再生用データの要否を管理するレジスタの内容を予めチェックし、高速再生用データが不要である場合にはＴＳ制御部１１７により高速再生用データを多重せずに送信する構成でもよい。
【００６１】
【発明の効果】
以上説明した様に、本発明によれば、高速再生用画像データを符号化された状態で出力することができ、出力先の外部装置にて新たに高速再生用の画像データを生成する必要がない。
【図面の簡単な説明】
【図１】本発明が適用される記録再生装置の構成を示す図である。
【図２】ＥＳとＰＥＳの様子を示す図である。
【図３】テープ上に記録するデータの様子を示す図である。
【図４】ＰＥＳとＴＳの様子を示す図である。
【図５】ＴＳデータの様子を示す図である。
【図１】
2004242172.tif 000003
【図２】
2004242172.tif 000004
【図３】
2004242172.tif 000005
【図４】
2004242172.tif 000006
【図５】
2004242172.tif 000007